(57)【要約】【課題】  本発明は庫内の商品収納スペースを小さくすることなく、庫内の上部および下部も効率よく冷却することができるとともに、庫内に商品が収納された状態でも、庫内に寒剤を収納することができる保冷コンテナを得るにある。【解決手段】  開閉扉を備える保冷コンテナ本体と、この保冷コンテナ本体の庫内上部に設けた蓄冷剤、ドライアイス、氷等の寒剤を収納する上部冷却スペースと、前記保冷コンテナ本体の庫内底部に設けた蓄冷剤、ドライアイス、氷等の寒剤を収納する底部冷却スペースとで保冷コンテナを構成している。【選択図】  図３
2010071596.tif 000002
【特許請求の範囲】
【請求項１】
開閉扉を備える保冷コンテナ本体と、この保冷コンテナ本体の庫内上部に設けた蓄冷剤、ドライアイス、氷等の寒剤を収納する上部冷却スペースと、前記保冷コンテナ本体の庫内底部に設けた蓄冷剤、ドライアイス、氷等の寒剤を収納する底部冷却スペースとからなることを特徴とする保冷コンテナ。
【請求項２】
底部冷却スペースは保冷コンテナ本体の庫内底部の両側部に収納する商品あるいは商品を収納できるケースを支持する支持台を形成し、保冷コンテナ本体の開口部より該支持台間に寒剤を収納できるようにしたことを特徴とする請求項1記載の保冷コンテナ。
【請求項３】
底部冷却スペースは上部に収納する商品あるいは商品を収納できるケースを支持することができる、寒剤を収納する引き出しを備えた薄いケース体であることを特徴とする請求項1記載の保冷コンテナ。
【請求項４】
上部冷却スペースは保冷コンテナ本体の庫内上部に固定された寒剤を収納する引き出しを備えた薄いケース体であることを特徴とする請求項１記載の保冷コンテナ。
【請求項５】
上部冷却スペースと底部冷却スペースを側壁内に設けた冷気の通路で連結したことを特徴とする請求項１記載の保冷コンテナ。
【発明の詳細な説明】
【技術分野】
【０００１】
本発明は事前に大型冷蔵庫内で保冷コンテナ全体を予冷しておき、商品を冷蔵庫内で積み込み、普通トラックを使ってスーパーマーケットや百貨店への輸送に使用される保冷コンテナに関する。
【背景技術】
【０００２】
従来の保冷コンテナは庫内の上部だけ、あるいは上部および両側面に蓄冷体を収納できるように構成されている。
【０００３】
このため、庫内の上部にだけ蓄冷体を収納できる保冷コンテナは、庫内容積を十分に確保して、商品を効率よく収納することができるが、図１６に示すように上部に６ｋｇのドライアイスを設置すると、庫内の上部と底部とでは底部が十分に冷却されず、上部と下部とでは温度差が生じるという欠点があった。
また、庫内の上部および両側面に蓄冷体を収納できる保冷コンテナは、庫内容積が複数個の蓄冷体によって小さくなり、庫内の商品収納スペースが小さくなるという欠点があるとともに、複数個の蓄冷体の使用で、その取り扱いが大変になるという欠点があった。
【特許文献１】特開２００２−５５５１
【発明の開示】
【発明が解決しようとする課題】
【０００４】
本発明は以上のような従来の欠点に鑑み、庫内の商品収納スペースを小さくすることなく、庫内の上部および下部も効率よく冷却することができるとともに、庫内に商品が収納された状態でも、庫内に寒剤を収納することができる保冷コンテナを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は開閉扉を備える保冷コンテナ本体と、この保冷コンテナ本体の庫内上部に設けた蓄冷剤、ドライアイス、氷等の寒剤を収納する上部冷却スペースと、前記保冷コンテナ本体の庫内底部に設けた蓄冷剤、ドライアイス、氷等の寒剤を収納する底部冷却スペースとで保冷コンテナを構成している。
【発明の効果】
【０００７】
以上の説明から明らかなように、本発明にあっては次に列挙する効果が得られる。
【０００８】
（１）保冷コンテナ本体の庫内の上部に上部冷却スペースと、底部に底部冷却スペースを設けたので、庫内に収納された上・下部の商品をほぼ均一に冷却することができる。
したがって、庫内に収納する商品をどの高さに位置するかを考慮することなく収納でき、効率よく収納作業を行なうことができる。
【０００９】
（２）前記（１）によって、庫内の底部に底部冷却スペースを設けたので、保冷コンテナ本体の底部に位置する床面やトラックの荷台からの熱の庫内への侵入を効率よく阻止することができ、庫内の保冷状態を効率よく保つことができる。
【００１０】
（３）前記（１）により、底部冷却スパースは収納する商品の支持台やパレットの収納スペースに設けられるので、庫内の収納スペースが小さくなるのを最小限に抑えることができ、庫内を効率よく使用することができる。
【００１１】
（４）請求項２も前記（１）〜（３）と同様な効果が得られるとともに、庫内に収納する商品の支持台となり、かつ庫内に商品を収納した後でも、商品を動かすことなく、底部冷却スペースに寒剤を収納することができる。
【００１２】
（５）請求項３は前記（１）〜（４）と同様な効果が得られる。
【００１３】
（６）請求項４は前記（１）〜（３）と同様な効果が得られるとともに、上部冷却スペースの寒剤の収納を容易に行なうことができる。
【発明を実施するための最良の形態】
【００１４】
以下、図面に示す本発明を実施するための最良の形態により、本発明を詳細に説明する。
【００１５】
図１ないし図６に示す本発明を実施するための最良の第１の形態において、１は本発明の保冷コンテナで、この保冷コンテナ１は硬質ポリウレタン等の断熱材が内壁面に配置されたＪＩＳ規格や規格外の寸法に形成された、前面開口２の保冷コンテナ本体３と、この保冷コンテナ本体３の前面開口２をヒンジ部材４、４を介して密封状態で開閉することができる断熱材が内壁面に配置された、開放側の外壁面に取っ手５が設けられた開閉扉６と、前記保冷コンテナ本体３の底面の四隅部寄りに取付けられた自在キャスター７、７、７、７と、前記保冷コンテナ本体３の庫内３ａの上部に、内部に蓄冷剤、ドライアイス、氷等の寒剤８を収納することができる引き出し９を備えた薄いケース体１０で構成した上部冷却スペース１１と、前記保冷コンテナ本体３の庫内３ａの下部の両側部に収納する商品あるいは商品を収納できるケースを支持する支持台１２、１２、この支持台１２、１２間に前記保冷コンテナ本体３の前面開口２より寒剤８を収納することができる寒剤収納スペース１３とからなる下部冷却スペース１４とで構成されている。
【００１６】
上記構成の保冷コンテナ１は事前に大型冷蔵庫内で全体を予冷しておき、商品１７を図４に示すように下部冷却スペース１４の支持台１２、１２上に積み込む。
この時、保冷コンテナ１内への商品の積み込み前に、上・下部冷却スペース１１、１４の引き出し９や寒剤収納スペース１３に寒剤８、８を収納したり、積み込み後、発送前に寒剤８、８を収納する。  
このように上・下部冷却スペース１１、１４に寒剤８、８が収納されると、保冷コンテナ１の上部開閉扉側Ａ、上部奥側Ｂ、底部開閉扉側Ｃ、底部奥側Ｄの時間の経過における温度は、例えば上部冷却スペース１１に４ｋｇのドライアイスを、下部冷却スペース１４に２ｋｇのドライアイスを設置すると、図６に示すような状態となり、庫内の上部と底部との温度を、低温でほぼ一定状態に保つことができる。
[発明を実施するための異なる形態]
【００１７】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７ないし図９に示す本発明を実施するための第２の形態において、前記本発明を実施するための最良の第１の形態と主に異なる点は、保冷コンテナ本体３の両側壁の内壁面３ｂ、３ｂに上下部方向の複数個の凹溝１５、１５、１５、１５を形成し、上・下部冷却スペース１１、１４の冷気の通路１６、１６、１６、１６を形成した点で、このように冷気の通路１６、１６、１６、１６を形成した保冷コンテナ１Ａにしても、前記本発明を実施するための最良の第１の形態と同様な作用効果が得られるとともに、庫内に収納される商品１７が内壁面に当接した状態になっても、冷気の通路１６、１６、１６、１６によって、冷気が庫内の上下部へ移動して、庫内をほぼ均一な温度にできる。
【００１９】
図１０ないし図１２に示す本発明を実施するための第３の形態において、前記本発明を実施するための最良の第１の形態と主に異なる点は、保冷コンテナ本体３の底部に引き出し９を備えた薄いケース体１０で構成した下部冷却スペース１４Ａを設けた点で、このように構成した保冷コンテナ１Ｂにしても、前記本発明を実施するための最良の第１の形態と同様な作用効果が得られる。
【００２０】
図１３ないし図１５に示す本発明を実施するための第４の形態において、前記本発明を実施するための最良の第１の形態と主に異なる点は、保冷コンテナ本体３の庫内に収納した商品１７の上に寒剤８が収納されたカゴやトレー状の寒剤収納容器１８で上部冷却スペース１１Ａを設けた点で、このように構成した保冷コンテナ１Ｃにしても、前記本発明を実施するための最良の第１の形態と同様な作用効果が得られる。
【００２１】
なお、前記本発明を実施するための各形態では、保冷コンテナ本体３や開閉扉６の内壁面に断熱材を配置したものについて説明したが、断熱材を外壁材と内壁材との間に充填あるいは埋設したものであってもよい。
また、保冷コンテナ本体の両側壁に格子状あるいは多数個の透孔が形成された仕切板を支持することができる仕切板支持部を所定間隔で形成してもよい。
【産業上の利用可能性】
【００２２】
本発明は冷凍品や冷蔵品を集中加工センター等から各店舗まで、普通のトラックを用いて輸送する保冷コンテナを製造する産業で利用される。
【図面の簡単な説明】
【００２３】
【図１】本発明を実施するための最良の第１の形態の正面図。
【図２】図１の２−２線に沿う断面図。
【図３】本発明を実施するための最良の第１の形態の開閉扉を開放した状態の正面図。
【図４】本発明を実施するための最良の第１の形態の商品を収納した状態の説明図。
【図５】本発明を実施するための最良の第１の形態の寒剤を収納した状態の説明図。
【図６】本発明を実施するための最良の第１の形態の庫内の時間経過の温度の状態を示す説明図。
【図７】本発明を実施するための第２の形態の正面図。
【図８】図７の８−８線に沿う断面図。
【図９】本発明を実施するための第２の形態の開閉扉を開放した状態の正面図。
【図１０】本発明を実施するための第３の形態の正面図。
【図１１】図１０の１１−１１線に沿う断面図。
【図１２】本発明を実施するための第３の形態の開閉扉を開放した状態の正面図。
【図１３】本発明を実施するための第４の形態の正面図。
【図１４】図１３の１４−１４線に沿う断面図。
【図１５】本発明を実施するための第４の形態の開閉扉を開放した状態の正面図。
【図１６】従来の庫内の時間経過の温度状態を示す説明図。
【符号の説明】
【００２４】
１、１Ａ、１Ｂ、１Ｃ：保冷コンテナ、
２：前面開口、                ３：保冷コンテナ本体、
４：ヒンジ部材、              ５：取っ手、            
６：開閉扉、                  ７：自在キャスター、
８：寒剤、                    ９：引き出し、
１０：ケース体、
１１、１１Ａ：上部冷却スペース、
１２：支持台、                １３：寒剤収納スペース、
１４、１４Ａ：下部冷却スペース、
１５：凹溝、                  １６：冷気の通路、
１７：商品、                  １８：寒剤収納容器。
【図１】
2010071596.tif 000003
【図２】
2010071596.tif 000004
【図３】
2010071596.tif 000005
【図４】
2010071596.tif 000006
【図５】
2010071596.tif 000007
【図６】
2010071596.tif 000008
【図７】
2010071596.tif 000009
【図８】
2010071596.tif 000010
【図９】
2010071596.tif 000011
【図１０】
2010071596.tif 000012
【図１１】
2010071596.tif 000013
【図１２】
2010071596.tif 000014
【図１３】
2010071596.tif 000015
【図１４】
2010071596.tif 000016
【図１５】
2010071596.tif 000017
【図１６】
2010071596.tif 000018